(57)【特許請求の範囲】
【請求項１】
各盤内に収納されている少なくとも遮断及び断路機能を有する開閉器部、前記各盤内の開閉器部間を電気的に接続する固体絶縁母線を有する真空絶縁スイッチギヤと、各盤内に収納されている少なくとも遮断及び断路機能を有する開閉器部、前記各盤内の前記開閉器部間を電気的に接続する気中絶縁母線を有する気中絶縁スイッチギヤとが複数並設して隣接配置され、
真空絶縁スイッチギヤと気中絶縁スイッチギヤは、前記固体絶縁母線と気中絶縁母線とが可撓性を有する導体を介して接続されることで電気的に接続されていることを特徴とするスイッチギヤ。
【請求項２】
各盤内に収納されている少なくとも遮断及び断路機能を有する開閉器部、前記各盤内の開閉器部間を電気的に接続する固体絶縁母線を有する真空絶縁スイッチギヤと、各盤内に収納されている少なくとも遮断及び断路機能を有する開閉器部、前記各盤内の前記開閉器部間を電気的に接続する気中絶縁母線を有する気中絶縁スイッチギヤとが複数並設して隣接配置され、
真空絶縁スイッチギヤと気中絶縁スイッチギヤは、前記固体絶縁母線と気中絶縁母線とが導体を介して接続されることで電気的に接続されていると共に、
前記真空絶縁スイッチギヤの盤長手方向寸法が、前記気中絶縁スイッチギヤの盤長手方向寸法より短く形成され、これら両者を並設して隣接配置した際に生じる空間部に筐体を配置し、該筐体内に、前記導体と前記固体絶縁母線及び気中絶縁母線との接続部が配置されていることを特徴とするスイッチギヤ。
【請求項３】
請求項２に記載のスイッチギヤにおいて、
前記固体絶縁母線と気中絶縁母線を接続する導体は、可撓性を有していることを特徴とするスイッチギヤ。
【請求項４】
請求項１又は３に記載のスイッチギヤにおいて、
前記固体絶縁母線は、内部導体の周囲が固体絶縁材で覆われていると共に、該固体絶縁材の周囲が接地電位に保持され、前記可撓性を有する導体は、内部導体がより線状に形成され、かつ、その周囲が固体絶縁材で覆われていると共に、該固体絶縁材の周囲が接地電位に保持されていることを特徴とするスイッチギヤ。
【請求項５】
請求項４に記載のスイッチギヤにおいて、
前記可撓性を有する固体絶縁された導体は、前記気中絶縁スイッチギヤ内の裸母線導体と接続導体を介して接続され、周囲が接地電位に保持されていない気中絶縁端末に接続されていることを特徴とするスイッチギヤ。
【請求項６】
請求項４に記載のスイッチギヤにおいて、
前記固体絶縁母線は、内部導体を中心にして水平面内において回転可能に配置されていることを特徴とするスイッチギヤ。
【請求項７】
請求項５に記載のスイッチギヤにおいて、
前記気中絶縁端末は、内部導体を覆う絶縁物がヒダ状に形成されていることを特徴とするスイッチギヤ。
【請求項８】
請求項１又は２に記載のスイッチギヤにおいて、
前記真空絶縁スイッチギヤを中心とした前記気中絶縁スイッチギヤが設置されている側とは反対側に、可撓性を有する固体絶縁された導体を介して別の気中絶縁スイッチギヤが電気的に接続されていることを特徴とするスイッチギヤ。
【請求項９】
各盤内に収納されている少なくとも遮断及び断路機能を有する真空開閉器部及び前記各盤内の真空開閉器部間を電気的に接続する固体絶縁母線を有する真空絶縁スイッチギヤであって、気中絶縁母線を有する気中絶縁スイッチギヤと電気的に接続されるための固体絶縁母線を備えており、かつ該固体絶縁母線は可撓性を有していることを特徴とする真空絶縁スイッチギヤ。
【発明の詳細な説明】
【技術分野】
【０００１】
本発明はスイッチギヤに係り、特に、既設の気中絶縁スイッチギヤに真空絶縁スイッチギヤを複数並設して設置（以下、列盤という）するものに好適なスイッチギヤに関する。
【背景技術】
【０００２】
受変電設備においては、負荷電流あるいは事故電流を遮断するための遮断器、負荷の保守点検を行う際の作業者の安全を確保するための断路器及び接地開閉器，系統電圧或いは電流の検出装置、更に保護リレーなどが収納されたスイッチギヤが設置されている。
【０００３】
このスイッチギヤの絶縁方式は多種多様で、従来から気中絶縁盤，絶縁ガスとしてＳＦ6ガスを使用したキュービクル形のガス絶縁スイッチギヤ（ＧＩＳ）に加えて、昨今では、環境対応の観点から固体絶縁，圧縮空気絶縁，全真空絶縁方式のスイッチギヤが開発されている。
【０００４】
上述した各種絶縁方式によって遮断器，断路器，接地開閉器の各コンポーネントの小形化が加速する中、遮断及び断路機能を有し真空絶縁された真空２点切り３位置型の開閉部と、同じく真空絶縁された接地開閉部とをエポキシ注型により一体化した真空絶縁スイッチギヤが提案されている（例えば特許文献１を参照）。
【０００５】
上述した真空絶縁スイッチギヤは、遮断及び断路機能を有した真空２点切り３位置型の開閉部を収納した真空容器と、接地機能を有した開閉部を収納した真空容器とを、エポキシ注型により一体化したものを筐体内部に収納したものであり、小形軽量で信頼性が高いため、例えば都市部での配電設備の重要な設備に対して小形，軽量化のニーズに対応し得るものである。
【０００６】
また、近年の受変電設備では、ユーザの要求が多様化している。例えば、需要先では、使用目的により負荷の種類，運転条件が異なるので、ユーザが要求する安全性，信頼性，運転保全及び将来の負荷の増加を考慮した配電系統を計画するが、この配電計画において、受変電設備を構成する遮断器，断路器，接地開閉器等の制御及び電圧，電流等の監視計測に関しても配慮しなければならない。
【０００７】
この場合、前記各機器とその制御及び監視計測等の機器の設置空間を如何に小さくして、設置のための投資を抑えることができるかが重要なポイントとなる。上述した真空絶縁スイッチギヤは、これらユーザの多様な要求に柔軟に対応することができ、小形軽量で信頼性が高いスイッチギヤである。
【０００８】
一方、多種多様なスイッチギヤに対して、ユーザからは配電計画においてスイッチギヤの新設，増設，移設などの要求がある。特に、スイッチギヤを新設する場合、経済的な面から一度に変電所内の全てのスイッチギヤを新設することができないことから、数面だけ新設することがあるが、この場合、或いはスイッチギヤを増設する場合も含めて、既設の気中絶縁スイッチギヤと上述の真空絶縁スイッチギヤを併用して運用することが考えられる。即ち、近年、真空の高い絶縁性能を利用し、気中絶縁スイッチギヤと比較して小型化を実現できる真空絶縁スイッチギヤが開発されるに伴い、既設の気中絶縁スイッチギヤに換えて、真空絶縁スイッチギヤを導入する考えである。
【０００９】
ここで、真空絶縁スイッチギヤとは、複数の盤内にそれぞれ収納されている真空遮断器等の開閉器部間を固体絶縁母線で電気的に接続した構成を言い、気中絶縁スイッチギヤとは、各盤内にそれぞれ収納されている真空遮断器等の開閉器部間を気中絶縁された母線で電気的に接続した構成を言う。
【００１０】
【特許文献１】特開２００６−２３８５２２号公報
【発明の開示】
【発明が解決しようとする課題】
【００１１】
しかしながら、スイッチギヤは設置に際して一台のみで設置される場合より、複数のスイッチギヤ同士を列盤して設置される場合の方が多く、列盤されている全ての気中絶縁スイッチギヤを真空絶縁スイッチギヤに交換することは、多大な費用を必要とし、真空絶縁スイッチギヤの導入の障害となってしまう。
【００１２】
また、気中絶縁スイッチギヤと真空絶縁スイッチギヤを列盤しようとする場合、気中絶縁スイッチギヤでは接続母線が気中絶縁された裸導体であり、接続母線間の絶縁距離を大きくとる必要があるのに対し、真空絶縁スイッチギヤでは接続母線が固体絶縁された導体であり、接続母線の絶縁距離を大きく取る必要がない。
【００１３】
このように、気中と真空中とでは母線間の絶縁距離が異なることから、両スイッチギヤにおいては、母線間の絶縁距離の調整を行わなければ母線同士を接続することが難しくなり、つまり気中絶縁スイッチギヤと真空絶縁スイッチギヤを列盤構成が困難なものとなってしまう。
【００１４】
本発明は上述の点に鑑みなされたもので、第１の目的は、母線間の絶縁距離が異なるものであっても、母線間における絶縁距離の調整が容易に行え、気中絶縁スイッチギヤと真空絶縁スイッチギヤの列盤構成を可能にしたスイッチギヤを提供することにある。
【００１５】
また、本発明の第２の目的は、気中絶縁スイッチギヤと真空絶縁スイッチギヤの列盤構成を、据付面積を大きくすることなく可能にしたスイッチギヤを提供することにある。
【課題を解決するための手段】
【００１６】
本発明のスイッチギヤは、上記第１の目的を達成するために、各盤内に収納されている少なくとも遮断及び断路機能を有する開閉器部、前記各盤内の開閉器部間を電気的に接続する固体絶縁母線を有する真空絶縁スイッチギヤと、各盤内に収納されている少なくとも遮断及び断路機能を有する開閉器部、前記各盤内の前記開閉器部間を電気的に接続する気中絶縁母線を有する気中絶縁スイッチギヤとが複数並設して隣接配置され、真空絶縁スイッチギヤと気中絶縁スイッチギヤは、前記固体絶縁母線と気中絶縁母線とが可撓性を有する導体を介して接続されることで電気的に接続されていることを特徴とする。
【００１７】
また、本発明のスイッチギヤは、上記第２の目的を達成するために、各盤内に収納されている少なくとも遮断及び断路機能を有する開閉器部、前記各盤内の開閉器部間を電気的に接続する固体絶縁母線を有する真空絶縁スイッチギヤと、各盤内に収納されている少なくとも遮断及び断路機能を有する開閉器部、前記各盤内の前記開閉器部間を電気的に接続する気中絶縁母線を有する気中絶縁スイッチギヤとが複数並設して隣接配置され、真空絶縁スイッチギヤと気中絶縁スイッチギヤは、前記固体絶縁母線と気中絶縁母線とが導体を介して接続されることで電気的に接続されていると共に、前記真空絶縁スイッチギヤの盤長手方向寸法が、前記気中絶縁スイッチギヤの盤長手方向寸法より短く形成され、これら両者を並設して隣接配置した際に生じる空間部に筐体を配置し、該筐体内に、前記導体と前記固体絶縁母線及び気中絶縁母線との接続部が配置されていることを特徴とする。
【発明の効果】
【００１８】
本発明のスイッチギヤによれば、母線間の絶縁距離が異なっても、固体絶縁母線と気中絶縁母線とを接続する可撓性を有する導体により、母線間における絶縁距離の調整が容易に行うことができるので、気中絶縁スイッチギヤと真空絶縁スイッチギヤの列盤構成を可能にし、真空絶縁スイッチギヤの導入を促進することができる。
【００１９】
また、真空絶縁スイッチギヤの盤長手方向寸法を前記気中絶縁スイッチギヤの盤長手方向寸法より短く形成し、これら両者を並設して隣接配置した際に生じる空間部に筐体を配置して、該筐体内に、前記導体と前記固体絶縁母線及び気中絶縁母線との接続部が配置されているので、真空絶縁スイッチギヤと気中絶縁スイッチギヤを接続するために特別な空間を設けることなく、即ち据付面積を大きくすることなく列盤構成が可能となる。
【発明を実施するための最良の形態】
【００２０】
母線間の絶縁距離が異なるものであっても、母線間における絶縁距離の調整が容易に行え、気中絶縁スイッチギヤと真空絶縁スイッチギヤの列盤構成を可能にしたスイッチギヤを提供するという目的を、簡単な構成で実現した。
【実施例１】
【００２１】
以下、本発明のスイッチギヤである第１の実施例を図１乃至図６を用いて説明する。
【００２２】
図１及び図２は、既設の気中絶縁スイッチギヤ１に真空絶縁スイッチギヤ２を列盤した全体構成を、それぞれ別の角度から見た場合を示す斜視図である。
【００２３】
該図に示す如く、１は気中絶縁スイッチギヤであり、この気中絶縁スイッチギヤ１は、盤内部の気中に遮断及び断路機能を有する開閉器部（例えば真空遮断器）が収納され、図示してないが各盤内にそれぞれ収納されている真空遮断器等の開閉器部間が気中絶縁された母線で電気的に接続されて構成されている。一方、２は真空絶縁スイッチギヤであり、この真空絶縁スイッチギヤ２は、特許文献１の図５に記載されているような真空２点切り３位置型の開閉部が収納された真空容器、接地開閉部が収納された真空容器がエポキシ注型により一体化されて筐体内に収納され、複数の盤内にそれぞれ収納されている真空遮断器等の開閉器部間が固体絶縁母線で電気的に接続されて構成されている。そして、これら両者が並設して隣接配置され、接続装置を用いて電気的に接続されて列盤構成されている。
【００２４】
本実施例では、真空絶縁スイッチギヤ２の盤長手方向（図１，図２のＬ方向）寸法が、気中絶縁スイッチギヤ１の盤長手方向寸法より短く形成されており、これら両者を並設して隣接配置した際には、真空絶縁スイッチギヤ２の盤長手方向に、盤長手方向寸法が短い分空間が生じるので、この空間部分に筐体４を配置し、筐体４内に上記接続装置を収納している。
【００２５】
前記接続装置は、後述詳細説明するが、真空絶縁スイッチギヤ２の真空遮断器に接続され、真空容器上部から引き出される接続母線と接続される第１の固体絶縁母線、この第１の固体絶縁母線と接続され、一部が筐体４内を通る第２の固体絶縁母線、及び筐体４内を通る第２の固体絶縁母線と接続され、気中絶縁スイッチギヤ１からの接続母線と接続される可撓性を有する第３の固体絶縁母線で概略構成されている。
【００２６】
図５及び図６を用いて上述した接続装置の詳細について説明する。該図において、１１は真空絶縁スイッチギヤ２の真空遮断器に一端が接続され、真空容器上方から垂直方向に引き出され他端である固体絶縁接続部１３と一体になって水平方向に伸延する固体絶縁された３相の第１の固体絶縁母線であり、この第１の固体絶縁母線１１の固体絶縁接続部１３側とは反対側は、例えば図示されていない他の真空絶縁スイッチギヤに接続される。この第１の固体絶縁母線１１は、固体絶縁接続部１３と共に接続部の内部導体を中心として水平面内において回転可能になっている。
【００２７】
一方、第１の固体絶縁母線１１と一体の固体絶縁接続部１３の垂直方向に対して直角な水平方向（第１の固体絶縁母線１１と交差する方向）に固体絶縁された第２の固体絶縁母線１２が伸びており、第２の固体絶縁母線１２の一端である固体接続絶縁部１３の上部に、第２の固体絶縁母線１２の伸延方向に対して垂直方向に配置され、第２の固体絶縁母線１２と一体になっている固体絶縁接続部１４を有し、この固体絶縁接続部１４と共に第２の固体絶縁母線１２が接続部の内部導体を中心にして水平面内において回転可能になっている。
【００２８】
このように第１の固体絶縁母線１１と第２の固体絶縁母線１２とは、固体絶縁接続部１３及び１４と共に、水平面内において回転可能に接続され、更に第２の固体絶縁母線１２は、固体絶縁接続部１４が備わっている側とは反対側の端部に、第２の固体絶縁母線１２の伸延方向に対して垂直方向に配置されている固体絶縁接続部１５が一体となって備わっており、該固体絶縁接続部１５の上方には、固体絶縁接続部１６が配置されている。この固体絶縁接続部１６は、固体絶縁された水平方向に伸延する第３の固体絶縁母線である固体絶縁ケーブル１７と一体に形成されている。該固体絶縁ケーブル１７は、内部導体を例えばより線状の銅線にして可撓性を持たせ、その周囲を例えばシリコンゴムのような絶縁性ゴムで覆い、かつ絶縁性ゴムの周囲を接地電位の導電性ゴムで覆って構成されている。
【００２９】
また、固体絶縁接続部１５と第２の固体絶縁母線１２及び固体絶縁接続部１６と固体絶縁ケーブル１７は、接続部分の内部導体を中心にして回転可能となっており、第２の固体絶縁母線１２及び固体絶縁ケーブル１７は、固体絶縁接続部１５及び固体絶縁接続部１６と共に、水平面内において回転可能に構成されている。固体絶縁接続部１５の下部は、絶縁碍子１９に接続されており、該絶縁碍子１９は、その下部が筐体４内に支持されている固定用フレーム２０に固定されている。
【００３０】
一方、固体絶縁ケーブル１７の固体絶縁接続部１６が備わっている側とは反対端は、絶縁物から構成されるヒダ状構造を内部導体の外周に有する気中絶縁端末２１と接続されており、この３相の気中絶縁端末２１のそれぞれの間では、気中において必要な絶縁距離が互いに確保されている。該気中絶縁端末２１は、気中絶縁スイッチギヤ１内において、接続導体２２を介して内部の裸母線導体と接続されている。
【００３１】
上述した第１の固体絶縁母線１１，第２の固体絶縁母線１２，固体絶縁接続部１３，１４，１５，１６、及び固体絶縁ケーブル１７は、何れも導体の周囲が例えばシリコンゴムのような絶縁性ゴムで覆われ、さらにその周囲が接地電位となる導電性ゴムで覆われ固体絶縁されている。一方、気中絶縁端末２１の周囲は、接地電位とはされておらず、中間電位となっている。
【００３２】
上述した接続装置の各部位が、気中絶縁スイッチギヤ１と真空絶縁スイッチギヤ２を列盤した際に配置される位置について図３及び図４を用いて説明する。
【００３３】
該図に示す如く、第１の固体絶縁母線１１は、真空絶縁スイッチギヤ２の真空容器の上方から伸延している固体絶縁接続部１３から真空絶縁スイッチギヤ２の盤外部に渡って配置され、例えば隣接する他の真空絶縁スイッチギヤと接続されている。一方、第２の固体絶縁母線１２は、真空絶縁スイッチギヤ２の内部から一部巨体筐体４内に渡って配置されており、筐体４内で固定用フレーム２０に支持されている。また、固体絶縁ケーブル１７は、筐体４の内部から気中絶縁スイッチギヤ１の内部に渡って配置され、固体絶縁ケーブル１７の端部に接続される気中絶縁端末２１は、接続導体２２を介して、気中絶縁スイッチギヤ１内の裸母線導体と接続されている。
【００３４】
尚、図４において、３０はケーブル、３１はケーブル３１のサポート、３２は計測用の変流器、３３は保護用の変流器であり、これらはいずれも真空絶縁スイッチギヤ２の盤内に配置されている。
【００３５】
このように本実施例では、上述した接続装置を用いて既設の気中絶縁スイッチギヤ１に真空絶縁スイッチギヤ２を列盤構成するものであり、これにより、既設の気中絶縁スイッチギヤ１に換えて真空絶縁スイッチギヤ２を一部に導入することが可能となり、真空絶縁スイッチギヤの導入を促進することができる。
【００３６】
即ち、本実施例では、固体絶縁ケーブル１７の内部導体を例えばより線状の銅線として可撓性を持たせ、その周囲を例えばシリコンゴムのような絶縁性ゴムで覆い、さらにその周囲を接地電位の導電性ゴムで覆う構造としている。
【００３７】
これにより、気中絶縁スイッチギヤ１内の裸母線胴体間の絶縁距離が大きく、真空絶縁スイッチギヤ２内の固体絶縁された母線間の絶縁距離が小さくても、可撓性を有する固体絶縁ケーブル１７により、その間の絶縁距離を真空絶縁スイッチギヤ２側から気中絶縁スイッチギヤ１側に向うに従い順次広く取ることにより両者の絶縁距離の相違を吸収して調整され、絶縁方式が異なる母線同士の接続を可能にしている。絶縁方式が異なる母線同士を接続することが可能となった結果、気中絶縁スイッチギヤ１と真空絶縁スイッチギヤ２を列盤構成することが実現できるものである。
【００３８】
また、本実施例では、上述した母線或いはケーブル等が内部導体の周囲を固体絶縁されているので、それぞれの絶縁距離を短くしても絶縁破壊を起こすことがなく、これにより省スペース化を達成することができる。
【００３９】
また、本実施例によれば、互いに大きさが異なる２つの絶縁スイッチギヤの組み合わせ（本実施例では、気中絶縁スイッチギヤ１より真空絶縁スイッチギヤ２の方が小さく形成されて組み合わされている）を可能にすることにより、一方を小さく形成している分余剰空間ができ、この余剰空間に、本実施例のように接続装置を配置することができるため、接続装置を配置するために特別なスペース（据付部）を設ける必要がなく、全体として省スペース化を達成することができる。
【００４０】
また、本実施例によれば、固体絶縁母線と共に回転可能である固体絶縁接続部１３，１４，１５、及び１６を用いる構成としているので、レイアウトを変更の際には、水平面内の任意の角度で第１の固体絶縁母線１１，第２の固体絶縁母線１２、或いは固体絶縁ケーブル１７を配置でき、設計上或いは製作上の自由度が増すことになる。
【００４１】
また、固体絶縁母線は、一本の母線のみでなく複数の母線等を組み合わせて構成しており、部材毎に、例えば可撓性やヒダ状構造など最適な構成を選択することができ、更に、気中絶縁端末２１が絶縁物から構成されるヒダ状部を有することで、気中絶縁スイッチギヤ１内の裸母線導体と、接地電位である固体絶縁ケーブル１７の導電性ゴムとの間において、絶縁部で構成する絶縁距離がヒダの長さに対応して長くなり、気中絶縁端末２１自体の全長を短くしても、短絡を防止できるようになる。従って、部品の小型化が図れるメリットがある。
【実施例２】
【００４２】
次に、本発明の第２の実施例について図７及び図８を用いて説明する。図８に示すように、本実施例では、真空絶縁スイッチギヤ２を２台の気中絶縁スイッチギヤ１及び５１の間に挟まれるようにして列盤構成を採っている。
【００４３】
本実施例における真空絶縁スイッチギヤ２と気中絶縁スイッチギヤ１との接続構成は、上述した実施例１と同様なので、ここでの説明は省略し、真空絶縁スイッチギヤ２と気中絶縁スイッチギヤ５１との接続構成について説明する。
【００４４】
本実施例における真空絶縁スイッチギヤ２と気中絶縁スイッチギヤ５１との接続は、筐体４内において接続装置を介して電気的に行われている。
【００４５】
本実施例における接続装置は、以下のように構成されている。即ち、図７に示す如く、可撓性を有する固体絶縁ケーブル１７の一端が一体となって回転可能に接続されている固体絶縁接続部１６の上部（固体絶縁接続部１５とは逆側）に固体絶縁接続部６３が配置され、この固体絶縁接続部６３は、固体絶縁され筐体４内に配置されている固体絶縁ケーブル１７と同様な構成の固体絶縁ケーブル６７と一体に構成され、水平面内において固体絶縁ケーブル１７と共に接続部の内部導体を中心にして回転可能に接続されている。
【００４６】
一方、固体絶縁ケーブル６７の他端は、絶縁性のヒダ状部を外周に有する気中絶縁端末７１と接続されており、相隣接する気中絶縁端末７１間では、気中において必要な絶縁距離が互いに確保されている。この気中絶縁端末７１は、気中絶縁スイッチギヤ５１内において、接続導体７２を介して裸母線導体と接続されている。
【００４７】
上記固体絶縁ケーブル６７は、第１の実施例の固体絶縁ケーブル１７と同様に、内部導体を例えばより線状の銅線で形成して可撓性を有し、内部導体の周囲が、例えばシリコンゴムのような絶縁性ゴムで覆われ、更にその周囲は接地される導電性ゴムで覆われて固体絶縁されている。また、上記固体絶縁接続部６３は、導体の周囲が、例えばシリコンゴムのような絶縁性ゴムで覆われ、更にその周囲は接地される導電性ゴムで覆われて固体絶縁されている。一方、気中絶縁端末７１の周囲は、接地されておらず中間電位となっている。
【００４８】
このような本実施例の構成とすることにより、実施例１と同様な効果が得られることは勿論、真空絶縁スイッチギヤと列盤構成をとる気中絶縁スイッチギヤを複数とすることが可能となる。
【図面の簡単な説明】
【００４９】
【図１】本発明のスイッチギヤの第１の実施例における気中絶縁スイッチギヤと真空絶縁スイッチギヤとの列盤構成を示す斜視図である。
【図２】本発明のスイッチギヤの第１の実施例を図１とは別の角度から見た状態を示す斜視図である。
【図３】本発明のスイッチギヤの第１の実施例における気中絶縁スイッチギヤ内の接続装置の配置例を示す斜視図である。
【図４】本発明のスイッチギヤの第１の実施例における真空絶縁スイッチギヤ内及びフレーム内の接続装置の配置例を一部破断して示す斜視図である。
【図５】本発明のスイッチギヤの第１の実施例に採用される接続装置を示す部分斜視図である。
【図６】図５に示した接続装置を別の角度から見た状態を示す斜視図である。
【図７】本発明のスイッチギヤの第２の実施例に採用される接続装置を示す部分斜視図である。
【図８】本発明のスイッチギヤの第２の実施例における気中絶縁スイッチギヤと真空絶縁スイッチギヤとの列盤構成を示す斜視図である。
【符号の説明】
【００５０】
１，５１  気中絶縁スイッチギヤ
２  真空絶縁スイッチギヤ
４  筐体
１１  第１の固体絶縁母線
１２  第２の固体絶縁母線
１３，１４，１５，１６  固体絶縁接続部
１７，６７  固体絶縁ケーブル
１９  絶縁碍子
２０  固定用フレーム
２１，７１  気中絶縁端末
２２，７２  接続導体
【図１】
0004512648.tif 000002
【図２】
0004512648.tif 000003
【図３】
0004512648.tif 000004
【図４】
0004512648.tif 000005
【図５】
0004512648.tif 000006
【図６】
0004512648.tif 000007
【図７】
0004512648.tif 000008
【図８】
0004512648.tif 000009